(57)【要約】      （修正有）【課題】ディスプレイと利用者との距離に応じて、ディスプレイの大きさに相応しい適切な視野角で表示制御する表示装置、表示方法およびプログラムを提供する。【解決手段】表示装置１００は、タッチパネル１１０と、画像を表示する画像表示部１２０と、画像表示部１２０が表示する画像の視野角を変更する視野角変更部１３０と、タッチパネル１１０と対象物との間の距離を測定する近接センサ１４０と、表示装置１００内のメモリ等にあらかじめ記憶されているサイズ情報が示す画像表示部１２０のサイズに基づいて閾値を取得し、取得した閾値と近接センサ１４０が測定した距離とに基づいて、視野角変更部１３０へ視野角の変更を指示する制御部１５０とを有する。【選択図】図１
2017129630.tif 000002
【特許請求の範囲】
【請求項１】
タッチパネルと、
画像を表示する画像表示部と、
前記画像表示部が表示する画像の視野角を変更する視野角変更部と、
前記タッチパネルと対象物との間の距離を測定する近接センサと、
あらかじめ記憶されているサイズ情報が示す前記画像表示部のサイズに基づいて閾値を取得し、該取得した閾値と前記近接センサが測定した距離とに基づいて、前記視野角変更部へ視野角の変更を指示する制御部とを有する表示装置。
【請求項２】
請求項１に記載の表示システムにおいて、
前記制御部は、前記近接センサが測定した距離が前記閾値よりも短い場合、前記視野角変更部へ前記視野角を狭いものへ変更するように指示する表示システム。
【請求項３】
請求項１または請求項２に記載の表示装置において、
前記制御部は、前記画像表示部のサイズに基づいて、所定の演算を用いて前記閾値を算出して取得する表示装置。
【請求項４】
請求項１または請求項２に記載の表示装置において、
前記制御部は、前記画像表示部のサイズと前記閾値との対応付けを記憶する記憶装置から、前記画像表示部のサイズに基づいて前記閾値を読み出して取得する表示装置。
【請求項５】
請求項１から４のいずれか１項に記載の表示装置において、
前記近接センサは、赤外線または超音波を用いたものである表示装置。
【請求項６】
請求項１から４のいずれか１項に記載の表示装置において、
前記タッチパネルと前記近接センサとが一体となった構成であり、静電容量の変化または電界の変化を検出して前記距離を測定する表示装置。
【請求項７】
タッチパネルと、
画像を表示する画像表示部と、
前記画像表示部が表示する画像の視野角を変更する視野角変更部と、
前記タッチパネルへの対象物の近接を検出する近接センサと、
あらかじめ記憶されているサイズ情報が示す前記画像表示部のサイズに基づいて感度情報を取得し、該取得した感度情報が示す感度を前記近接センサが前記近接を検出するための感度として前記近接センサに設定し、前記感度が設定された近接センサが前記タッチパネルへの前記対象物の近接を検出したか否かに応じて、前記視野角変更部へ視野角の変更を指示する制御部とを有する表示装置。
【請求項８】
画像を表示する処理と、
あらかじめ記憶されているサイズ情報が示す前記画像を表示するディスプレイのサイズに応じた閾値を取得する処理と、
タッチパネルと対象物との間の距離を測定する処理と、
前記取得した閾値と、前記測定した距離とに基づいて、前記表示する画像の視野角を変更する処理とを行う表示方法。
【請求項９】
コンピュータに、
画像を表示する手順と、
あらかじめ記憶されているサイズ情報が示す前記画像を表示するディスプレイのサイズに応じた閾値を取得する処理と、
タッチパネルと対象物との間の距離を測定する手順と、
前記取得した閾値と、前記測定した距離とに基づいて、前記表示する画像の視野角を変更する手順とを実行させるためのプログラム。
【発明の詳細な説明】
【技術分野】
【０００１】
本発明は、画像の表示を行う表示装置、表示方法およびプログラムに関する。
【背景技術】
【０００２】
近年、タッチパネル技術の向上により、利用者が公共の場所でタッチパネルを操作する機会が増加している。利用者がタッチパネルを操作して情報を入力している際、周囲の人にその操作内容を見られてしまい、プライバシーが守られない状況がある。例えば、タッチパネルに表示された地図情報に基づいて入力した行き先や、タッチパネルに表示されたショッピングサイトに入力した購入希望商品、公共の手続きで入力したマイナンバー等の個人情報が他人に覗き見されてしまうおそれがある。
このような状況への対策として、タッチパネルに視野角の狭いＬＣＤ（Ｌｉｑｕｉｄ  Ｃｒｙｓｔａｌ  Ｄｉｓｐｌａｙ）パネルを使用することが挙げられる。しかしながら、このような視野角の狭いＬＣＤパネルは、広告や案内など広い視野角で多くの人に情報を提供する場合に適していない。
また、他の対策として、視野角を電気的に制御できる液晶ディスプレイの利用が挙げられる。例えば、電圧をかけることで液晶分子の配向を制御することができるベールビュー液晶の利用が考えられる。このような液晶ディスプレイは、通常は一般的な液晶ディスプレイと同様、広い視野角で表示できるが、必要に応じて、光をパネルの正面方向にのみに透過させ、左右方向への光を遮断することができる。つまり、利用者の操作で、視野角を、通常の広視野角モードと視野角の狭い狭視野角モードとのいずれか一方から他方へ切り替えることができる。狭視野角モードが設定された状態で液晶パネルの横側から画面を覗くと、画面が暗くて見えない状態となっている。しかしながら、表示される画像に応じてその都度、視野角を切り替えるための操作を行うことは利用者にとって手間がかかってしまい、また視野角を切り替えるための操作を忘れてしまうおそれがある。
【０００３】
また、表示されるコンテンツに応じて自動的に視野角を切り替える技術が考えられている（例えば、特許文献１参照。）。しかしながら、コンテンツに視野角決定情報を関連付ける必要があり、コンテンツ作成に手間がかかってしまう。また、タッチパネル操作が行われない場合でも、コンテンツによっては視野角が制御されて狭くなり、地図や案内表示など広い視野角で多くの人に情報を提供することができなくなってしまう。
そこで、表示装置からあらかじめ設定された距離（以下、視野角変更閾値と称する）内に観察者がいることを検出した場合、視野角を狭い表示を行う技術が考えられている（例えば、特許文献２参照。）。
【先行技術文献】
【特許文献】
【０００４】
【特許文献１】特開２００８−０５２０５８号公報
【特許文献１】特開２００４−２８６９７８号公報
【発明の概要】
【発明が解決しようとする課題】
【０００５】
一般的に大きなサイズのディスプレイに情報が表示される場合、その情報は、小さなサイズのディスプレイに表示される場合よりも大きく表示される。そのため、ディスプレイと利用者との距離が、小さなサイズのディスプレイにて設定された視野角変更閾値になったときに視野角を狭くしても、それまでに、利用者が操作しようとしている対象の情報が予想されてしまい、覗き見されたものと同じ結果となってしまうおそれがある。つまり、ディスプレイの大きさに応じた適切な視野角の制御を行うことができないという問題点がある。
【０００６】
本発明の目的は、上述した課題を解決する表示システム、表示装置、表示方法およびプログラムを提供することである。
【課題を解決するための手段】
【０００７】
本発明の表示装置は、
タッチパネルと、
画像を表示する画像表示部と、
前記画像表示部が表示する画像の視野角を変更する視野角変更部と、
前記タッチパネルと対象物との間の距離を測定する近接センサと、
あらかじめ記憶されているサイズ情報が示す前記画像表示部のサイズに基づいて閾値を取得し、該取得した閾値と前記近接センサが測定した距離とに基づいて、前記視野角変更部へ視野角の変更を指示する制御部とを有する。
また、本発明の表示装置は、
タッチパネルと、
画像を表示する画像表示部と、
前記画像表示部が表示する画像の視野角を変更する視野角変更部と、
前記タッチパネルへの対象物の近接を検出する近接センサと、
あらかじめ記憶されているサイズ情報が示す前記画像表示部のサイズに基づいて感度情報を取得し、該取得した感度情報が示す感度を前記近接センサが前記近接を検出するための感度として前記近接センサに設定し、前記感度が設定された近接センサが前記タッチパネルへの前記対象物の近接を検出したか否かに応じて、前記視野角変更部へ視野角の変更を指示する制御部とを有する。
また、本発明の表示方法は、
画像を表示する処理と、
あらかじめ記憶されているサイズ情報が示す前記画像を表示するディスプレイのサイズに応じた閾値を取得する処理と、
タッチパネルと対象物との間の距離を測定する処理と、
前記取得した閾値と、前記測定した距離とに基づいて、前記表示する画像の視野角を変更する処理とを行う。
また、本発明のプログラムは、
コンピュータに実行させるためのプログラムであって、
画像を表示する手順と、
あらかじめ記憶されているサイズ情報が示す前記画像を表示するディスプレイのサイズに応じた閾値を取得する処理と、
タッチパネルと対象物との間の距離を測定する手順と、
前記取得した閾値と、前記測定した距離とに基づいて、前記表示する画像の視野角を変更する手順とを実行させる。
【発明の効果】
【０００８】
以上説明したように、本発明においては、ディスプレイの大きさに応じた適切な視野角の制御を行うことができる。
【図面の簡単な説明】
【０００９】
【図１】本発明の表示装置の第１の実施の形態を示す図である。
【図２】利用者が表示装置を操作するときの様子の一例を示す図である。
【図３】利用者が表示装置のタッチパネルに指を近づけたときの様子の一例を示す図である。
【図４】図１に示した表示装置における表示方法の一例を説明するためのフローチャートである。
【図５】本発明の表示装置の外観の一例を示す図である。
【図６】本発明の表示装置の第２の実施の形態を示す図である。
【図７】図６に示した記憶装置にあらかじめ記憶された画像を表示する画像表示部のサイズと、距離の閾値との対応付けの一例を示す図である。
【図８】図６に示した表示装置における表示方法の一例を説明するためのフローチャートである。
【図９】本発明の表示装置の第３の実施の形態を示す図である。
【図１０】利用者が表示装置を操作するときの様子の一例を示す図である。
【図１１】利用者が表示装置の近接センサ内蔵タッチパネルに指を近づけたときの様子の一例を示す図である。
【図１２】図９に示した表示装置における表示方法の一例を説明するためのフローチャートである。
【図１３】本発明の表示装置の第４の実施の形態を示す図である。
【図１４】利用者が表示装置を操作するときの様子の一例を示す図である。
【図１５】利用者が表示装置のタッチパネルに指を近づけたときの様子の一例を示す図である。
【図１６】図１３に示した表示装置における表示方法の一例を説明するためのフローチャートである。
【図１７】あらかじめ記憶された画像を表示する画像表示部のサイズと、近接センサに設定する感度との対応付けの一例を示す図である。
【発明を実施するための形態】
【００１０】
以下に、本発明の実施の形態について図面を参照して説明する。
（第１の実施の形態）
【００１１】
図１は、本発明の表示装置の第１の実施の形態を示す図である。
本形態における表示装置１００は図１に示すように、タッチパネル１１０と、画像表示部１２０と、視野角変更部１３０と、近接センサ１４０と、制御部１５０と、画像処理部１６０と、位置検出部１７０とを有する。
タッチパネル１１０は、指やペン等の対象物の接触や近接を検知し、その結果を位置検出部１７０へ出力する。タッチパネル１１０は、一般的なタッチパネルであっても良い。
画像表示部１２０は、画像処理部１６０から出力されてきた画像を表示するディスプレイである。
視野角変更部１３０は、制御部１５０からの指示に基づいて、画像表示部１２０が表示する画像の視野角を変更する。ここで、画像の視野角は、画像表示部１２０が表示する画像を、利用者が認識することができる画像表示部１２０の前面方向の範囲である。例えば、画像の視野角は、画像表示部１２０からの広がり（角度）の範囲であっても良い。
近接センサ１４０は、タッチパネル１１０と対象物との間の距離を測定し、測定した距離を示す距離情報を制御部１５０へ出力する。近接センサ１４０は、赤外線または超音波を用いたものであっても良い。また、近接センサ１４０は、タッチパネル１１０の周囲に設けられている。
制御部１５０は、表示装置１００内のメモリ等にあらかじめ記憶されているディスプレイ情報であるＥＤＩＤ（Ｅｘｔｅｎｄｅｄ  Ｄｉｓｐｌａｙ  Ｉｄｅｎｔｉｆｉｃａｔｉｏｎ  Ｄａｔａ）などに格納された画像表示部１２０のサイズ情報を取得する。制御部１５０は、取得した画像表示部１２０のサイズ情報が示す画像表示部１２０のサイズに基づいて、所定の演算を用いて閾値を算出して取得する。このとき、制御部１５０は、画像表示部１２０のサイズ情報が示す画像表示部１２０のサイズが大きければ大きいほど、閾値が大きな値になるような演算を用いる。制御部１５０は、取得した閾値と、近接センサ１４０から出力されてきた距離情報が示す距離とに基づいて、視野角変更部１３０へ視野角の変更を指示する。このとき、制御部１５０は、近接センサ１４０から出力されてきた距離情報が示す距離が、取得した閾値よりも短い場合、視野角変更部１３０へ視野角を狭いものへ変更するように指示する。
画像処理部１６０は、表示装置１００と接続されたコンピュータ２００から送信されてきた画像信号に対して所定の画像処理を行い、画像処理を行った画像（画像信号）を画像表示部１２０へ出力する。この画像処理は、一般的なものであっても良い。
位置検出部１７０は、タッチパネル１１０から出力されてきた検知結果に基づいて、指やペン等の対象物の接触・近接が行われたタッチパネル１１０上の位置を検出する。この位置検出は、一般的なものであっても良い。
表示装置１００と接続されたコンピュータ２００は、一般的なＰＣ（Ｐｅｒｓｏｎａｌ  Ｃｏｍｐｕｔｅｒ）であっても良く、画像を表示させる信号を出力するものであれば良い。
【００１２】
図２は、利用者が表示装置１００を操作するときの様子の一例を示す図である。図２に示すように、表示装置１００に具備されたタッチパネル１１０と、画像表示部１２０と、視野角変更部１３０とが、画像表示部１２０が表示する画像を閲覧する利用者Ａ側からタッチパネル１１０、視野角変更部１３０、画像表示部１２０の順で積層されている。図２に示した２本の一点鎖線の間の範囲が視野角となる。また、近接センサ１４０が、タッチパネル１１０と利用者Ａとの間の距離を測定する。また、破線で示した閾値が表示装置１００に設定されている。この閾値は、表示装置１００が、図１に示した制御部１５０が取得した、タッチパネルからの距離である。図２に示した状態では、タッチパネル１１０から利用者Ａまでの距離が閾値よりも遠いため、近接センサ１４０が測定するタッチパネル１１０と対象物との距離が閾値よりも長い距離となる。そのため、視野角変更部１３０が制御される視野角が一点鎖線の間の範囲となり、利用者Ａのほか、周囲の人までもが画像表示部１２０が表示する画像を閲覧可能となる。
【００１３】
図３は、利用者が表示装置１００のタッチパネル１１０に指を近づけたときの様子の一例を示す図である。図３に示すように、利用者Ａが表示装置１００のタッチパネル１１０に指を近づけると、タッチパネル１１０から対象物である利用者Ａの指までの距離が閾値よりも短くなり、近接センサ１４０が測定するタッチパネル１１０と対象物との距離が閾値よりも短い距離となる。そのため、視野角変更部１３０が制御される視野角が狭くなり、一点鎖線の間の範囲となり、利用者Ａのみが画像表示部１２０が表示する画像を閲覧可能となる。つまり、この状態では、周囲の人は、画像表示部１２０が表示する画像を閲覧（認識）することはできない。
【００１４】
以下に、図１に示した表示装置１００における表示方法について説明する。図４は、図１に示した表示装置１００における表示方法の一例を説明するためのフローチャートである。
【００１５】
まず、画像処理部１６０から出力されてきた画像信号に基づいて、画像表示部１２０が画像を表示する（ステップＳ１）。制御部１５０は、画像表示部１２０のサイズ情報を取得し、取得したサイズ情報が示すサイズに基づいて閾値を算出して取得する（ステップＳ２）。続いて、近接センサ１４０がタッチパネル１１０と対象物との間の距離の測定を開始する（ステップＳ３）。近接センサ１４０は、測定した距離を示す距離情報を制御部１５０へ随時出力する。すると、制御部１５０は、近接センサ１４０から出力されてきた距離情報が示す距離が、取得した閾値よりも短いかどうかを判定する（ステップＳ４）。
制御部１５０が、近接センサ１４０から出力されてきた距離情報が示す距離が、取得した閾値よりも短くはないと判定した場合、再度、ステップＳ４の処理が行われる。一方、制御部１５０が、近接センサ１４０から出力されてきた距離情報が示す距離が、取得した閾値よりも短いと判定した場合、制御部１５０は、視野角変更部１３０へ視野角を狭いものへ変更するように指示する（ステップＳ５）。
【００１６】
その後、引き続き、近接センサ１４０がタッチパネル１１０と対象物との間の距離の測定を継続する（ステップＳ６）。近接センサ１４０は、測定した距離を示す距離情報を制御部１５０へ随時出力する。すると、制御部１５０は、近接センサ１４０から出力されてきた距離情報が示す距離が、取得した閾値以上かどうかを判定する（ステップＳ７）。
制御部１５０が、近接センサ１４０から出力されてきた距離情報が示す距離が、取得した閾値以上ではないと判定した場合、再度、ステップＳ７の処理が行われる。一方、制御部１５０が、近接センサ１４０から出力されてきた距離情報が示す距離が、取得した閾値以上であると判定した場合、制御部１５０は、視野角変更部１３０へ視野角を元へ戻す（視野角を広くする）ように指示する（ステップＳ８）。
【００１７】
このように、タッチパネル１１０から指等の対象物までの間の距離に応じて、視野角を変更することで、利用者の周囲にいる人がタッチパネル操作を予想することができず、利用者のプライバシーを守ることができる。また、画像表示部１２０のサイズが大きいほど、表示画面上のタッチ操作部も大きくなり、周囲の人からタッチパネル操作範囲を予想されるおそれがあるが、制御部１５０が画像表示部１２０のサイズに応じた閾値を設定することで、これを避けることができる。
【００１８】
図５は、本発明の表示装置の外観の一例を示す図である。図５に示した表示装置１０１のように、複数の近接センサ１４１−１〜１４１−４それぞれをタッチパネル１１０の４辺の近傍に具備させても良い。近接センサ１４１−１〜１４１−４で測定された距離を示す距離情報は制御部（不図示）へ出力され、それぞれの距離情報が示す距離のうち対象物との距離が最も短い距離を制御部が検出値として判定する。そうすることで、タッチパネル画面上のボタンが画面上のいかなる場所に表示されても、指等の対象物とタッチパネルとの間の適切な距離を検出し、視野角制限をかけることができる。
（第２の実施の形態）
【００１９】
図６は、本発明の表示装置の第２の実施の形態を示す図である。
本形態における表示装置１０２は図６に示すように、外部に記憶装置３００が接続されている。記憶装置３００は、画像を表示する画像表示部のサイズと、距離の閾値との対応付けをあらかじめ記憶する。記憶装置３００は、表示装置１０２と接続されたハードディスク装置や、メモリであっても良いし、記憶された情報が表示装置１０２から読み取り可能なフロッピー（登録商標）ディスク、光磁気ディスク、ＤＶＤ（Ｄｉｇｉｔａｌ  Ｖｅｒｓａｔｉｌｅ  Ｄｉｓｃ）、ＣＤ（Ｃｏｍｐａｃｔ  Ｄｉｓｃ）、Ｂｌｕ−ｒａｙ（登録商標）  Ｄｉｓｃなどの移設可能な記録媒体であっても良い。
【００２０】
図７は、図６に示した記憶装置３００にあらかじめ記憶された画像を表示する画像表示部のサイズと、距離の閾値との対応付けの一例を示す図である。図６に示した記憶装置３００には図７に示すように、ディスプレイサイズと閾値とが対応付けられて記憶されている。ディスプレイサイズは、様々な表示装置に具備された画像を表示する画像表示部（ディスプレイ）のサイズである。図７においては、一般的な画面の大きさを示すときに使用されている対角線の長さ「インチ」で示す。閾値は、距離の閾値である。この閾値は、表示装置１０２の操作を行う利用者のタッチパネル操作が予測できない、タッチパネルと操作者との間の最短の距離としてあらかじめ算出されているものである。また、この対応付けは、ディスプレイサイズが大きいほど、大きな値の閾値と対応付けたものである。また、図７には、記憶装置３００が３つの対応付けを記憶している例を示したが、対応付けの数やそれぞれの数値はこれに限らない。
【００２１】
表示装置１０２は、タッチパネル１１０と、画像表示部１２０と、視野角変更部１３０と、近接センサ１４０と、制御部１５１と、画像処理部１６０と、位置検出部１７０とを有する。
タッチパネル１１０、画像表示部１２０、視野角変更部１３０、近接センサ１４０、画像処理部１６０および位置検出部１７０は、第１の実施の形態におけるものと同じものである。
制御部１５１は、表示装置１０２内のメモリ等にあらかじめ記憶されているディスプレイ情報であるＥＤＩＤなどに格納された画像表示部１２０のサイズ情報を取得する。制御部１５１は、取得した画像表示部１２０のサイズ情報が示す画像表示部１２０のサイズに基づいて、当該サイズと対応付けられた閾値を記憶装置３００から読み出す。制御部１５１は、記憶装置３００から読み出した閾値と、近接センサ１４０から出力されてきた距離情報が示す距離とに基づいて、視野角変更部１３０へ視野角の変更を指示する。このとき、制御部１５１は、近接センサ１４０から出力されてきた距離情報が示す距離が、記憶装置３００から読み出した閾値よりも短い場合、視野角変更部１３０へ視野角を狭いものへ変更するように指示する。
【００２２】
以下に、図６に示した表示装置１０２における表示方法について説明する。図８は、図６に示した表示装置１０２における表示方法の一例を説明するためのフローチャートである。
【００２３】
まず、画像処理部１６０から出力されてきた画像信号に基づいて、画像表示部１２０が画像を表示する（ステップＳ１１）。制御部１５１は、画像表示部１２０のサイズ情報を取得し、取得したサイズ情報が示すサイズと対応付けられた閾値を、記憶装置３００から読み出す（ステップＳ１２）。続いて、近接センサ１４０がタッチパネル１１０と対象物との間の距離の測定を開始する（ステップＳ１３）。近接センサ１４０は、測定した距離を示す距離情報を制御部１５１へ随時出力する。すると、制御部１５１は、近接センサ１４０から出力されてきた距離情報が示す距離が、記憶装置３００から読み出した閾値よりも短いかどうかを判定する（ステップＳ１４）。
制御部１５１が、近接センサ１４０から出力されてきた距離情報が示す距離が、記憶装置３００から読み出した閾値よりも短くはないと判定した場合、再度、ステップＳ１４の処理が行われる。一方、制御部１５１が、近接センサ１４０から出力されてきた距離情報が示す距離が、記憶装置３００から読み出した閾値よりも短いと判定した場合、制御部１５１は、視野角変更部１３０へ視野角を狭いものへ変更するように指示する（ステップＳ１５）。
【００２４】
その後、引き続き、近接センサ１４０がタッチパネル１１０と対象物との間の距離の測定を継続する（ステップＳ１６）。近接センサ１４０は、測定した距離を示す距離情報を制御部１５１へ随時出力する。すると、制御部１５１は、近接センサ１４０から出力されてきた距離情報が示す距離が、記憶装置３００から読み出した閾値以上かどうかを判定する（ステップＳ１７）。
制御部１５１が、近接センサ１４０から出力されてきた距離情報が示す距離が、記憶装置３００から読み出した閾値以上ではないと判定した場合、再度、ステップＳ１７の処理が行われる。一方、制御部１５１が、近接センサ１４０から出力されてきた距離情報が示す距離が、記憶装置３００から読み出した閾値以上であると判定した場合、制御部１５１は、視野角変更部１３０へ視野角を元へ戻す（視野角を広くする）ように指示する（ステップＳ１８）。
【００２５】
このように、タッチパネル１１０から指等の対象物までの間の距離に応じて、視野角を変更することで、利用者の周囲にいる人がタッチパネル操作を予想することができず、利用者のプライバシーを守ることができる。また、画像表示部１２０のサイズが大きいほど、表示画面上のタッチ操作部も大きくなり、周囲の人からタッチパネル操作範囲を予想されるおそれがあるが、制御部１５１が画像表示部１２０のサイズに応じた閾値を設定することで、これを避けることができる。
（第３の実施の形態）
【００２６】
図９は、本発明の表示装置の第３の実施の形態を示す図である。
本形態における表示装置１０３は図９に示すように、近接センサ内蔵タッチパネル１１１と、画像表示部１２０と、視野角変更部１３０と、制御部１５２と、画像処理部１６０と、位置検出部１７１とを有する。
画像表示部１２０、視野角変更部１３０および画像処理部１６０は、第１の実施の形態におけるものと同じものである。
近接センサ内蔵タッチパネル１１１は、図１に示したタッチパネル１１０と近接センサ１４０とが一体となったものである。また。近接センサ内蔵タッチパネル１１１は、静電容量の変化または電界の変化を検出して、近接センサ内蔵タッチパネル１１１と対象物との間の距離を測定し、測定した距離を示す距離情報を、位置検出部１７１を介して制御部１５２へ出力する。
制御部１５２は、表示装置１０３内のメモリ等にあらかじめ記憶されているディスプレイ情報であるＥＤＩＤなどに格納された画像表示部１２０のサイズ情報を取得する。制御部１５２は、取得した画像表示部１２０のサイズ情報が示す画像表示部１２０のサイズに基づいて、所定の演算を用いて閾値を算出して取得する。このとき、制御部１５２は、画像表示部１２０のサイズ情報が示す画像表示部１２０のサイズが大きければ大きいほど、閾値が大きな値になるような演算を用いる。制御部１５２は、取得した閾値と、近接センサ内蔵タッチパネル１１１から位置検出部１７１を介して出力されてきた距離情報が示す距離とに基づいて、視野角変更部１３０へ視野角の変更を指示する。このとき、制御部１５２は、近接センサ内蔵タッチパネル１１１から位置検出部１７１を介して出力されてきた距離情報が示す距離が、取得した閾値よりも短い場合、視野角変更部１３０へ視野角を狭いものへ変更するように指示する。
位置検出部１７１は、近接センサ内蔵タッチパネル１１１から出力されてきた検知結果に基づいて、指やペン等の対象物の接触・近接が行われた近接センサ内蔵タッチパネル１１１上の位置を検出する。この位置検出は、一般的なものであっても良い。また、位置検出部１７１は、近接センサ内蔵タッチパネル１１１から出力されてきた距離情報を制御部１５２へ出力する。
【００２７】
図１０は、利用者が表示装置１０３を操作するときの様子の一例を示す図である。図１０に示すように、表示装置１０３に具備された近接センサ内蔵タッチパネル１１１と、画像表示部１２０と、視野角変更部１３０とが、画像表示部１２０が表示する画像を閲覧する利用者Ａ側から近接センサ内蔵タッチパネル１１１、視野角変更部１３０、画像表示部１２０の順で積層されている。図１０に示した２本の一点鎖線の間の範囲が視野角となる。また、近接センサ内蔵タッチパネル１１１が、近接センサ内蔵タッチパネル１１１と利用者Ａとの間の距離を測定する。また、破線で示した閾値が表示装置１０３に設定されている。この閾値は、表示装置１０３が、図９に示した制御部１５２が取得した、近接センサ内蔵タッチパネル１１１からの距離である。図１０に示した状態では、近接センサ内蔵タッチパネル１１１から利用者Ａまでの距離が閾値よりも遠いため、近接センサ内蔵タッチパネル１１１が測定する近接センサ内蔵タッチパネル１１１と対象物との距離が閾値よりも長い距離となる。そのため、視野角変更部１３０が制御される視野角が一点鎖線の間の範囲となり、利用者Ａのほか、周囲の人までもが画像表示部１２０が表示する画像を閲覧可能となる。
【００２８】
図１１は、利用者が表示装置１０３の近接センサ内蔵タッチパネル１１１に指を近づけたときの様子の一例を示す図である。図１１に示すように、利用者Ａが表示装置１０３の近接センサ内蔵タッチパネル１１１に指を近づけると、近接センサ内蔵タッチパネル１１１から対象物である利用者Ａの指までの距離が閾値よりも短くなり、近接センサ内蔵タッチパネル１１１が測定する近接センサ内蔵タッチパネル１１１と対象物との距離が閾値よりも短い距離となる。そのため、視野角変更部１３０が制御される視野角が狭くなり、一点鎖線の間の範囲となり、利用者Ａのみが画像表示部１２０が表示する画像を閲覧可能となる。つまり、この状態では、周囲の人は、画像表示部１２０が表示する画像を閲覧（認識）することはできない。
【００２９】
以下に、図９に示した表示装置１０３における表示方法について説明する。図１２は、図９に示した表示装置１０３における表示方法の一例を説明するためのフローチャートである。
【００３０】
まず、画像処理部１６０から出力されてきた画像信号に基づいて、画像表示部１２０が画像を表示する（ステップＳ２１）。制御部１５２は、画像表示部１２０のサイズ情報を取得し、取得したサイズ情報が示すサイズに基づいて閾値を算出して取得する（ステップＳ２２）。続いて、近接センサ内蔵タッチパネル１１１が近接センサ内蔵タッチパネル１１１と対象物との間の距離の測定を開始する（ステップＳ２３）。近接センサ内蔵タッチパネル１１１は、測定した距離を示す距離情報を、位置検出部１７１を介して制御部１５２へ随時出力する。すると、制御部１５２は、近接センサ内蔵タッチパネル１１１から位置検出部１７１を介して出力されてきた距離情報が示す距離が、取得した閾値よりも短いかどうかを判定する（ステップＳ２４）。
制御部１５２が、近接センサ内蔵タッチパネル１１１から位置検出部１７１を介して出力されてきた距離情報が示す距離が、取得した閾値よりも短くはないと判定した場合、再度、ステップＳ２４の処理が行われる。一方、制御部１５２が、近接センサ内蔵タッチパネル１１１から位置検出部１７１を介して出力されてきた距離情報が示す距離が、取得した閾値よりも短いと判定した場合、制御部１５２は、視野角変更部１３０へ視野角を狭いものへ変更するように指示する（ステップＳ２５）。
【００３１】
その後、引き続き、近接センサ内蔵タッチパネル１１１が近接センサ内蔵タッチパネル１１１と対象物との間の距離の測定を継続する（ステップＳ２６）。近接センサ内蔵タッチパネル１１１は、測定した距離を示す距離情報を、位置検出部１７１を介して制御部１５２へ随時出力する。すると、制御部１５２は、近接センサ内蔵タッチパネル１１１から位置検出部１７１を介して出力されてきた距離情報が示す距離が、取得した閾値以上かどうかを判定する（ステップＳ２７）。
制御部１５２が、近接センサ内蔵タッチパネル１１１から位置検出部１７１を介して出力されてきた距離情報が示す距離が、取得した閾値以上ではないと判定した場合、再度、ステップＳ２７の処理が行われる。一方、制御部１５２が、近接センサ内蔵タッチパネル１１１から位置検出部１７１を介して出力されてきた距離情報が示す距離が、取得した閾値以上であると判定した場合、制御部１５２は、視野角変更部１３０へ視野角を元へ戻す（視野角を広くする）ように指示する（ステップＳ２８）。
【００３２】
このように、近接センサ内蔵タッチパネル１１１から指等の対象物までの間の距離に応じて、視野角を変更することで、利用者の周囲にいる人がタッチパネル操作を予想することができず、利用者のプライバシーを守ることができる。また、画像表示部１２０のサイズが大きいほど、表示画面上のタッチ操作部も大きくなり、周囲の人からタッチパネル操作範囲を予想されるおそれがあるが、制御部１５２が画像表示部１２０のサイズに応じた閾値を設定することで、これを避けることができる。
（第４の実施の形態）
【００３３】
図１３は、本発明の表示装置の第４の実施の形態を示す図である。
本形態における表示装置１０４は図１３に示すように、タッチパネル１１０と、画像表示部１２０と、視野角変更部１３０と、近接センサ１４２と、制御部１５３と、画像処理部１６０と、位置検出部１７０とを有する。
タッチパネル１１０、画像表示部１２０、視野角変更部１３０、画像処理部１６０および位置検出部１７０は、第１の実施の形態におけるものと同じものである。
近接センサ１４２は、タッチパネル１１０への対象物の近接を検出する。近接センサ１４２は、タッチパネル１１０への対象物の近接を検出したか否かを制御部１５３へ通知する。なお、近接センサ１４２は、感度を変更可能なセンサである。つまり、近接センサ１４２は、感度を弱いものに設定されると、対象物がタッチパネル１１０の近い位置に存在するときにその対象物を検出する。一方、近接センサ１４２は、感度を強いものに設定されると、対象物がタッチパネル１１０から遠い位置に存在するときであってもその対象物を検出する。近接センサ１４２は、赤外線または超音波を用いたものであっても良い。また、近接センサ１４２は、タッチパネル１１０の周囲に設けられている。
制御部１５３は、表示装置１０４内のメモリ等にあらかじめ記憶されているディスプレイ情報であるＥＤＩＤなどに格納された画像表示部１２０のサイズ情報を取得する。制御部１５３は、取得した画像表示部１２０のサイズ情報が示す画像表示部１２０のサイズに基づいて、所定の演算を用いて感度を算出して取得する。このとき、制御部１５３は、画像表示部１２０のサイズ情報が示す画像表示部１２０のサイズが大きければ大きいほど、感度が強い値になるような演算を用いる。制御部１５３は、取得した感度を近接センサ１４２に設定する。制御部１５３は、近接センサ１４２からの、タッチパネル１１０への対象物の近接を検出したか否かを示す通知に基づいて、視野角変更部１３０へ視野角の変更を指示する。このとき、制御部１５３は、タッチパネル１１０への対象物の近接を検出したという通知を近接センサ１４２から受けると、視野角変更部１３０へ視野角を狭いものへ変更するように指示する。一方、制御部１５３は、タッチパネル１１０への対象物の近接を検出しなくなったという通知を近接センサ１４２から受けると、視野角変更部１３０へ視野角を元に戻す（広いものへ変更する）ように指示する。
表示装置１００と接続されたコンピュータ２００は、一般的なＰＣであっても良く、画像を表示させる信号を出力するものであれば良い。
【００３４】
図１４は、利用者が表示装置１０４を操作するときの様子の一例を示す図である。図１４に示すように、表示装置１０４に具備されたタッチパネル１１０と、画像表示部１２０と、視野角変更部１３０とが、画像表示部１２０が表示する画像を閲覧する利用者Ａ側からタッチパネル１１０、視野角変更部１３０、画像表示部１２０の順で積層されている。図１４に示した２本の一点鎖線の間の範囲が視野角となる。また、近接センサ１４２が、タッチパネル１１０への利用者Ａの近接を検出する。また、画像表示部１２０のサイズに応じた感度が近接センサ１４２に設定されており、感度に応じたタッチパネル１１０からの距離となる位置を破線で示す。図１４に示した状態では、タッチパネル１１０から利用者Ａまでの距離が閾値よりも遠いため、近接センサ１４２が利用者Ａの近接を検出できない。そのため、視野角変更部１３０が制御される視野角が一点鎖線の間の範囲となり、利用者Ａのほか、周囲の人までもが画像表示部１２０が表示する画像を閲覧可能となる。
【００３５】
図１５は、利用者が表示装置１０４のタッチパネル１１０に指を近づけたときの様子の一例を示す図である。図１５に示すように、利用者Ａが表示装置１０４のタッチパネル１１０に指を近づけると、タッチパネル１１０から対象物である利用者Ａの指までの距離が閾値よりも短くなり、近接センサ１４０が利用者Ａの近接を検出する。そのため、視野角変更部１３０が制御される視野角が狭くなり、一点鎖線の間の範囲となり、利用者Ａのみが画像表示部１２０が表示する画像を閲覧可能となる。つまり、この状態では、周囲の人は、画像表示部１２０が表示する画像を閲覧（認識）することはできない。
【００３６】
以下に、図１３に示した表示装置１０４における表示方法について説明する。図１６は、図１３に示した表示装置１０４における表示方法の一例を説明するためのフローチャートである。
【００３７】
まず、画像処理部１６０から出力されてきた画像信号に基づいて、画像表示部１２０が画像を表示する（ステップＳ３１）。制御部１５３は、画像表示部１２０のサイズ情報を取得し、取得したサイズ情報が示すサイズに基づいて感度を算出して取得する（ステップＳ３２）。制御部１５３は、取得した感度を近接センサ１４２に設定する（ステップＳ３３）。その後、感度が設定された近接センサ１４２は、タッチパネル１１０への指やペン等の対象物の近接を検出したかどうかを判定する（ステップＳ３４）。近接センサ１４２は、判定した結果を制御部１５３へ通知する。
近接センサ１４２から通知されてきた判定結果が、対象物を検出していないことを示すものである場合、再度、ステップＳ３４の処理が行われる。一方、近接センサ１４２から通知されてきた判定結果が、対象物を検出したことを示すものである場合、制御部１５３は、視野角変更部１３０へ視野角を狭いものへ変更するように指示する（ステップＳ３５）。
【００３８】
その後、引き続き、近接センサ１４２は、タッチパネル１１０への指やペン等の対象物の近接を検出したかどうかを判定する（ステップＳ３６）。近接センサ１４２は、判定した結果を制御部１５３へ通知する。
近接センサ１４２から通知されてきた判定結果が、対象物を検出したことを示すものである場合、再度、ステップＳ３６の処理が行われる。一方、近接センサ１４２から通知されてきた判定結果が、対象物を検出しなくなったことを示すものである場合、制御部１５３は、視野角変更部１３０へ視野角を元に戻す（広いものへ変更する）するように指示する（ステップＳ３７）。
【００３９】
このように、近接センサ１４２がタッチパネル１１０への対象物の近接を検出したか否かに応じて、視野角を変更することで、利用者の周囲にいる人がタッチパネル操作を予想することができず、利用者のプライバシーを守ることができる。また、画像表示部１２０のサイズが大きいほど、表示画面上のタッチ操作部も大きくなり、周囲の人からタッチパネル操作範囲を予想されるおそれがあるが、制御部１５３が画像表示部１２０のサイズに応じた近接センサ１４２の検出感度を設定することで、これを避けることができる。
【００４０】
また、ディスプレイのサイズと、感度を示す感度情報とをあらかじめ対応付けて記憶しておき、その対応付けを用いるものであっても良い。図１７は、あらかじめ記憶された画像を表示する画像表示部のサイズと、近接センサに設定する感度との対応付けの一例を示す図である。この対応付けは、例えば、図６に示したような記憶装置３００に記憶されているものであっても良い。ディスプレイサイズは、様々な表示装置に具備された画像を表示する画像表示部（ディスプレイ）のサイズである。図１７においては、一般的な画面の大きさを示すときに使用されている対角線の長さ「インチ」で示す。感度は近接センサの感度である。図１７においては、感度を「Ａ」、「Ｂ」および「Ｃ」で表しているが、実際の感度の強弱を表す数値が記憶されているもので良い。図１７の例では、感度の強弱はＡ＜Ｂ＜Ｃである。この感度は、表示装置１０４の操作を行う利用者のタッチパネル操作が予測できない、タッチパネルと操作者との間の最短の距離で近接センサ１４２が対象物の近接を検出する感度としてあらかじめ算出されているものである。また、この対応付けは、ディスプレイサイズが大きいほど、強い感度と対応付けたものである。また、図１７には、３つの対応付けが記憶されている例を示したが、対応付けの数やそれぞれの数値はこれに限らない。
【００４１】
本発明の表示装置は、以上のようにタッチパネルと近接センサとを有する視野角可変型の表示装置であって、対象物とタッチパネルとの間の距離に基づいて視野角を制御する視野角制御手段を備えている。したがって、本発明の表示装置によれば、近接センサが、利用者がタッチパネル操作のためにタッチパネルに近づけた指を検出し、視野角制御手段がタッチパネル操作時に画像表示部の視野角を自動的に狭くすることで、利用者の手を煩わせることなく周囲の人からタッチパネル操作を覗き見されることを防止し、プライバシーを守ることができる。さらに、ディスプレイの大きさに応じて視野角を制御する閾値を変更することで、ディスプレイの大きさに応じた適切な視野角の制御を行うことができる。
【００４２】
上述した表示装置１００〜１０４それぞれに設けられた各構成要素が行う処理は、目的に応じてそれぞれ作製された論理回路で行うようにしても良い。また、処理内容を手順として記述したコンピュータプログラム（以下、プログラムと称する）を表示装置１００〜１０４それぞれにて読取可能な記録媒体に記録し、この記録媒体に記録されたプログラムを表示装置１００〜１０４それぞれに読み込ませ、実行するものであっても良い。表示装置１００〜１０４それぞれにて読取可能な記録媒体とは、フロッピー（登録商標）ディスク、光磁気ディスク、ＤＶＤ（Ｄｉｇｉｔａｌ  Ｖｅｒｓａｔｉｌｅ  Ｄｉｓｃ）、ＣＤ（Ｃｏｍｐａｃｔ  Ｄｉｓｃ）、Ｂｌｕ−ｒａｙ  Ｄｉｓｃなどの移設可能な記録媒体の他、表示装置１００〜１０４それぞれに内蔵されたＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等のメモリやＨＤＤ（Ｈａｒｄ  Ｄｉｓｃ  Ｄｒｉｖｅ）等を指す。この記録媒体に記録されたプログラムは、表示装置１００〜１０４それぞれに設けられた制御部やＣＰＵ（Ｃｅｎｔｒａｌ  Ｐｒｏｃｅｓｓｉｎｇ  Ｕｎｉｔ）にて読み込まれ、制御部やＣＰＵの制御によって、上述したものと同様の処理が行われる。ここで、制御部やＣＰＵは、プログラムが記録された記録媒体から読み込まれたプログラムを実行するコンピュータとして動作するものである。
【００４３】
上記の実施の形態の一部または全部は、以下の付記のようにも記載され得るが、以下には限られない。
（付記１）タッチパネルと、
画像を表示する画像表示部と、
前記画像表示部が表示する画像の視野角を変更する視野角変更部と、
前記タッチパネルと対象物との間の距離を測定する近接センサと、
あらかじめ記憶されているサイズ情報が示す前記画像表示部のサイズに基づいて閾値を取得し、該取得した閾値と前記近接センサが測定した距離とに基づいて、前記視野角変更部へ視野角の変更を指示する制御部とを有する表示装置。
（付記２）前記制御部は、前記近接センサが測定した距離が前記閾値よりも短い場合、前記視野角変更部へ前記視野角を狭いものへ変更するように指示する、付記１に記載の表示システム。
（付記３）前記制御部は、前記画像表示部のサイズに基づいて、所定の演算を用いて前記閾値を算出して取得する、付記１または付記２に記載の表示装置。
（付記４）前記制御部は、前記画像表示部のサイズと前記閾値との対応付けを記憶する記憶装置から、前記画像表示部のサイズに基づいて前記閾値を読み出して取得する、付記１または付記２に記載の表示装置。
（付記５）前記近接センサは、赤外線または超音波を用いたものである、付記１から４のいずれか１項に記載の表示装置。
（付記６）前記タッチパネルと前記近接センサとが一体となった構成であり、静電容量の変化または電界の変化を検出して前記距離を測定する、付記１から４のいずれか１項に記載の表示装置。
（付記７）タッチパネルと、
画像を表示する画像表示部と、
前記画像表示部が表示する画像の視野角を変更する視野角変更部と、
前記タッチパネルへの対象物の近接を検出する近接センサと、
あらかじめ記憶されているサイズ情報が示す前記画像表示部のサイズに基づいて感度情報を取得し、該取得した感度情報が示す感度を前記近接センサが前記近接を検出するための感度として前記近接センサに設定し、前記感度が設定された近接センサが前記タッチパネルへの前記対象物の近接を検出したか否かに応じて、前記視野角変更部へ視野角の変更を指示する制御部とを有する表示装置。
（付記８）画像を表示する処理と、
あらかじめ記憶されているサイズ情報が示す前記画像を表示するディスプレイのサイズに応じた閾値を取得する処理と、
タッチパネルと対象物との間の距離を測定する処理と、
前記取得した閾値と、前記測定した距離とに基づいて、前記表示する画像の視野角を変更する処理とを行う表示方法。
（付記９）コンピュータに、
画像を表示する手順と、
あらかじめ記憶されているサイズ情報が示す前記画像を表示するディスプレイのサイズに応じた閾値を取得する処理と、
タッチパネルと対象物との間の距離を測定する手順と、
前記取得した閾値と、前記測定した距離とに基づいて、前記表示する画像の視野角を変更する手順とを実行させるためのプログラム。
【符号の説明】
【００４４】
１００，１０１，１０２，１０３，１０４    表示装置
１１０    タッチパネル
１１１    近接センサ内蔵タッチパネル
１２０    画像表示部
１３０    視野角変更部
１４０，１４１−１〜１４１−４，１４２    近接センサ
１５０，１５１，１５２，１５３    制御部
１６０    画像処理部
１７０，１７１    位置検出部
２００    コンピュータ
３００    記憶装置
【図１】
2017129630.tif 000003
【図２】
2017129630.tif 000004
【図３】
2017129630.tif 000005
【図４】
2017129630.tif 000006
【図５】
2017129630.tif 000007
【図６】
2017129630.tif 000008
【図７】
2017129630.tif 000009
【図８】
2017129630.tif 000010
【図９】
2017129630.tif 000011
【図１０】
2017129630.tif 000012
【図１１】
2017129630.tif 000013
【図１２】
2017129630.tif 000014
【図１３】
2017129630.tif 000015
【図１４】
2017129630.tif 000016
【図１５】
2017129630.tif 000017
【図１６】
2017129630.tif 000018
【図１７】
2017129630.tif 000019